(57)【特許請求の範囲】
【請求項１】
地上波ディジタル放送を受信して符号化映像・音声データを取得するチューナと、符号化映像・音声データをメモリカード又は内蔵メモリに格納する手段と、符号化映像・音声データをメモリカード又は内蔵メモリから読み出す手段と、メモリカードから読み出した符号化映像・音声データ及びチューナからの符号化映像・音声データをデコードしてディスプレイ上に映像表示するとともに音声出力する手段と、符号化映像・音声データをメモリカードに格納中にその残量が所定量以下となり又は残量が無くなったときに、メモリカードの交換を促す報知を行う手段と、前記報知後に前記メモリカードが装着状態であるとき、装着状態のメモリカードへの格納進行中の状態にある現ファイルの中で先に記録した部分から削除していき、新たに受け取る符号化映像・音声データの格納領域を確保することを特徴とする携帯型視聴装置。
【請求項２】
請求項１に記載の携帯型視聴装置において、メモリカードに格納するファイルに優先度を与え、優先度の低い既存ファイルから削除する優先度対応削除モードを併存させ、この優先度対応削除モードと、現ファイル内削除モードとの択一的許可或いは両者許可が行えるように構成されたことを特徴とする携帯型視聴装置。
【請求項３】
請求項２に記載の携帯型視聴装置において、優先度対応削除モードが許可されており、現ファイル内削除モードが許可されていない場合、現ファイルに与えられた優先度よりも低い既存ファイルを削除していくことを特徴とする携帯型視聴装置。
【請求項４】
請求項２に記載の携帯型視聴装置において、優先度対応削除モードが許可されており、更に現ファイル内削除モードが許可されている場合、現ファイルに与えられた優先度よりも低い既存ファイルを削除していき、削除する既存ファイルが無くなって追記できなくなると、現ファイル内削除モードを実行することを特徴とする携帯型視聴装置。
【発明の詳細な説明】
【０００１】
【産業上の利用分野】
この発明は、テレビの視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。
【０００３】
【発明が解決しようとする課題】
このように、映像の符号化技術の高度化や機器の小型化によって、外出先でも手軽に映像を楽しむことができるようになっているが、更に、使い勝手に優れた携帯型視聴装置が求められている。
【０００４】
この発明は、上記の事情に鑑み、使い勝手に優れた携帯型視聴装置を提供することを目的とする。
【０００５】
【課題を解決するための手段】
この発明の携帯型視聴装置は、上記の課題を解決するために、地上波ディジタル放送を受信して符号化映像・音声データを取得するチューナと、符号化映像・音声データをメモリカード又は内蔵メモリに格納する手段と、符号化映像・音声データをメモリカード又は内蔵メモリから読み出す手段と、メモリカードから読み出した符号化映像・音声データ及びチューナからの符号化映像・音声データをデコードしてディスプレイ上に映像表示するとともに音声出力する手段と、符号化映像・音声データをメモリカードに格納中にその残量が所定量以下となり又は残量が無くなったときに、メモリカードの交換を促す報知を行う手段と、報知後に前記メモリカードが装着状態であるとき、装着状態のメモリカードへの格納進行中の状態にある現ファイルの中で先に記録した部分から削除していき、新たに受け取る符号化映像・音声データの格納領域を確保することを特徴とする。
【０００８】
さらに、この発明の携帯型視聴装置は、メモリカードに格納するファイルに優先度を与え、優先度の低い既存ファイルから削除する優先度対応削除モードを併存させ、この優先度対応削除モードと、現ファイル内削除モードとの択一的許可或いは両者許可が行えるように構成されていてもよい。優先度対応削除モードが許可されており、現ファイル内削除モードが許可されていない場合、現ファイルに与えられた優先度よりも低い既存ファイルを削除していくようにしてもよい。優先度対応削除モードが許可されており、更に現ファイル内削除モードが許可されている場合、現ファイルに与えられた優先度よりも低い既存ファイルを削除していき、削除する既存ファイルが無くなって追記できなくなると、現ファイル内削除モードを実行するようにしてもよい。
【００１１】
【発明の実施の形態】
以下、この発明の実施形態を図１乃至図５に基づいて説明する。
【００１２】
図１及び図２に示すように、据置型周辺装置１とこの実施形態の携帯型視聴装置２とによって放送視聴システムが構成される。このシステムでは、据置型周辺装置１がアナログ放送を受信し、この受信した放送をエンコードして得た符号化映像・音声データをスロット１０１に差し込まれたメモリカード３（例えば、コンパクトフラッシュカード（商標）やマルチメディアカード（商標）等）に格納する。据置型周辺装置１の本体部１ａは縦長にデザインされており、その下部には脚部１ｂを有し、転倒防止が図られている。また、据置型周辺装置１には電源ボタン及び視聴に関する操作ボタン（プレイ／ポーズ、ストップ、送り）は設けられているが、チャンネル選択のための操作ボタン類は設けられていない。そして、据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１３】
携帯型視聴装置２は、略方形状で偏平な形状を有しており、電池駆動される構成となっている。携帯型視聴装置２は、チューナー２３０によって地上波ディジタル放送を受信し、映像を液晶表示パネル２０２上に映し出すとともに、音声をイヤホン２０３から出力する。また、スロット２０１に差し込まれたメモリカード３から符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１４】
以下、これら据置型周辺装置１と携帯型視聴装置２の回路構成を、図３に基づいて詳しく説明していく。
【００１５】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１６】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１７】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００１８】
スロット１０１及びＰＣＭＣＩＡインターフェイス１０５のセットは、二組設けられている。スロット１０１には、上記メモリカード３の他、ＰＨＳデータカード４等を装着することができる。
【００１９】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００２０】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００２１】
次に、携帯型視聴装置２を説明していく。メモリカード３に格納されているＭＰＥＧ４ビットストリームデータ（符号化映像・音声データ）は、ＰＣＭＣＩＡインターフェイス２２０、及びシステムバス２１３を経てＭＰＥＧ４デコーダ２０４に供給される。地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３やＳＤＲＡＭ２１９への記録のためにシステムバス２１３に供給したりする。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２２】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２３】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２４】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２５】
また、無線ネットワークを可能にするために、通信ブロック２１６及びインターフェイス（例えば、Bluetooth （商標）など）２１７が設けられている。更に、ＦｌａｓｈＲＯＭ２１８やＳＤＲＡＭ２１９も備える。電池２２１は二次電池であり、据置型周辺装置１から電力の供給を得てこれを蓄える。携帯電話部２３１は、通常の電話のために用いることとしている。
【００２６】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いて受信番組指定（チャンネル及び時刻指定）を行ったときには、その情報をメモリカード３に格納する処理を行うようになっている。
【００２７】
図４は携帯型視聴装置２における受信番組録画処理（受信番組の符号化映像・音声データをスロット２０１に装着されているメモリカード３に記録する処理）を示したフローチャートである。ＣＰＵ２０９は番組をメモリカード３に録画する処理中において、メモリカード３の残量を検出している（ステップＳ１）。メモリカード３に残量がない場合又は残りが少ない場合は（ステップＳ２でＹＥＳ）、アラームにて報知し（ステップＳ３）、ユーザにメモリカード３の交換を促す。そして、スロット２０１に装填してあるメモリカード３が外されたかどうかを判断する（ステップＳ４）。メモリカード３が外されていない場合には（ステップＳ４でＮＯ）、メモリカード３に記録されたファイルの削除が必要であるかどうかを判断する（ステップＳ５）。最初にこのステップＳ５にきたときには、メモリカード３に残量がない場合又は残りが少ない場合であるので、ファイルの削除が必要であるとの判断がなされることになる。ファイルの削除が必要である場合には、優先度の低いファイルをメモリカード３から削除し（ステップＳ６）、録画処理を続行し、メモリカードの残量を検出する。ファイルの削除が不要である場合はそのまま録画処理を続行し、メモリカードの残量を検出する。
【００２８】
ステップＳ４でメモリカードが外されたと判断した場合には、受信番組の符号化映像・音声データを内蔵メモリ（例えば、ＳＤＲＡＭ２１９）へ一時的に記録する（ステップＳ７）。そして、メモリカード３の交換が完了したかどうかを判断し（ステップＳ８）、メモリカード３の交換が完了していない場合には内蔵メモリへの記録を続ける（ステップＳ７）。メモリカード３の交換が完了した場合には、内蔵メモリの符号化映像・音声データをメモリカードへ転送し（ステップＳ９）、新たに受け取る符号化映像・音声データを交換後のメモリカード３に記録する（ステップＳ１０）。そして、録画が終了したかどうかを判断し（ステップＳ１１）、終了していない場合には、ステップＳ１に進み、終了した場合には、処理を終了する。
【００２９】
このように、番組の録画中にメモリカード３が残量不足になったことを前記アラーム報知によってユーザが知ることができ、メモリカード３の交換を迅速に行うことができることになる。報知の形態としては、アラーム（電子音）による報知の他、警告ランプによる報知、警告メッセージを画面表示することによる報知、予め登録したユーザの携帯電話にメール等で通知することによる報知などがある。そして、アラーム後で未だメモリカード３の交換がなされないときには、メモリカード３の既存ファイルの中で優先度が低いファイルを削除するようにしたので、受信番組の符号化映像・音声データの格納領域をしばらくは確保できることになる。そして、メモリカード３がスロット２０１から外されたときは、受信番組の符号化映像・音声データを内蔵メモリに格納するので、当該データの不記録といった事態は招来せず、メモリカード３の交換後には、内蔵メモリ内の符号化映像・音声データはメモリカード３に転送され、新たに受け取る符号化映像・音声データも続けてメモリカード３に格納されていくことになる。
【００３０】
前記ファイルの優先度について説明すると、例えば、特に指定のない記録においては、そのファイルは優先度”低”が与えられ、何からの指定があるときの記録においては、優先度”高”が与えられる。なお、記録を「ループ録画」と「通常録画」といった区分けで取り扱い、ファイルには「ループ録画」又は「通常録画」のラベルを貼り付けることとし、「ループ録画」は優先度”低”、「通常録画」は優先度”高”とすることもできる。そして、「通常録画」のみがメモリカード３に残っている場合には、ファイル削除は実行しないといった処理をとることもできる。「ループ録画」とするか或いは「通常録画」とするかは、録画に際してユーザ設定を受けることとし、ユーザ設定がなされない場合にはデフォルトで「ループ録画」のラベルを貼るようにしてもよい。また、録画後にファイルのプロパティを見てラベルの貼り替えが行えるようにしてもよい。また、上述した既存ファイル削除は行わないで、アラーム報知後及びメモリカード３の交換中において、新たに受け取る符号化映像・音声データを内蔵メモリに格納するようにしてもよい。
【００３１】
ところで、ファイル形式として、インデックス形式のファイル（ｉｎｄｅｘＦｉｌｅ）で録画コンテンツ1 本全体を管理することで、録画可能な領域が確保できなかった場合、自らの録画先頭部分を取り潰しながら、録画を継続するようにしてもよい。そして、これとは別に他の録画コンテンツの重要度判定のためのファイルもある。Ｉｎｄｅｘにしなくても他のファイルを消しながらの録画はできる。すなわち、装着状態のメモリカード３への格納進行中の状態にある現ファイル（ｉｎｄｅｘＦｉｌｅ）の中で先に記録した部分から削除していき、新たに受け取る符号化映像・音声データの格納領域を確保するようにしてもよい（Ｌｏｏｐ録画許可）。このモードの許可は後述する優先度判定に基づいて許可／不許可が変更されるようにしてもよい。また、メモリカード３に格納するファイルに優先度を与え、優先度の低い既存ファイルから削除する優先度対応削除モード（重要度判定許可）を併存させ、この優先度対応削除モードと、現ファイル内削除モードとの択一的許可或いは両者許可が行えるように構成されていてもよい。現ファイル内削除モード（Ｌｏｏｐ録画許可）は上記優先度判定に関連して許可／不許可が変更されるようにしてもよい。また、優先度対応削除モードが許可されており、現ファイル内削除モードが許可されていない場合、現ファイルに与えられた優先度よりも低い既存ファイルを削除していくようにしてもよい。また、優先度対応削除モードが許可されており、更に現ファイル内削除モードが許可されている場合、現ファイルに与えられた優先度よりも低い既存ファイルを削除していき、削除する既存ファイルが無くなって追記できなくなると、現ファイル内削除モードを実行するようにしてもよい。
【００３２】
上記のインデックスファイルは、図５に示すようなファイル構造を有する。このインデックスファイルについて以下に簡単に説明する。
【００３３】
ｉｎｄｅｘＦｉｌｅ
ＣｏｄｅＴｏｐ    ／／  先頭の有効データファイル
ＣｏｄｅＥｎｄ    ／／  最終の有効データファイル
ＣｏｄｅＴｉｍｅ    ／／  録画時間と単位時間（この例は５ｍｉｎ．）とＣｏｄｅ数Ｎ
ＦｏｒｍａｔＨｅａｄｅｒ    ／／  記録形式（Ｃｏｄｅ１〜Ｎ共通）などが指定されている。
Ｃｏｄｅ１    ／／  たとえば5 分程度のＭＰＥＧ録画ファイル
Ｃｏｄｅ２    ／／  たとえば5 分程度のＭＰＥＧ録画ファイル
Ｃｏｄｅ３
・・・
ＣｏｄｅＮ    ／／  たとえば5 分程度のＭＰＥＧ録画ファイル
Ｃｏｄｅ１
［Ｈｅａｄｅｒ、Ｄａｔａ］
［Ｈｅａｄｅｒ、Ｄａｔａ］
［Ｈｅａｄｅｒ、Ｄａｔａ］
・・・
［Ｈｅａｄｅｒ、Ｄａｔａ］
ＣｏｄｅＮ
［Ｈｅａｄｅｒ、Ｄａｔａ］
［Ｈｅａｄｅｒ、Ｄａｔａ］
［Ｈｅａｄｅｒ、Ｄａｔａ］
・・・
［Ｈｅａｄｅｒ、Ｄａｔａ］
【００３４】
通常はＣｏｄｅ１から撮り始めて、新たなＣｏｄｅ領域（ＣｏｄｅＮ＋１）を追加できなくなったら、ＣｏｄｅＮで終わることとする。ＣｏｄｅＴｏｐはＣｏｄｅ１、ＣｏｄｅＥｎｄはＣｏｄｅＮとなる。
【００３５】
Ｌｏｏｐ録画が許可されておらず、重要度判定許可がされていれば、自身ファイル（現ファイル）より重要度の低い（重要度に応じてＬｏｏｐ録画許可判定を行ってもよい）既存ファイルを削除して、新たなＣｏｄｅ領域（ＣｏｄｅＮ＋１）を追加していく。追加できなくなったら終了する。
【００３６】
Ｌｏｏｐ録画が許可されていて、録画中に新たなＣｏｄｅ領域（ＣｏｄｅＮ＋１）を追加できなくなったら、ＣｏｄｅＴｏｐをＣｏｄｅ２に変更し、ＣｏｄｅＥｎｄをＣｏｄｅ１として録画を継続する。
【００３７】
Ｌｏｏｐ録画が許可されていて、さらに重要度判定許可がされていれば、自身ファイル（現ファイル）より重要度の低い（重要度に応じてＬｏｏｐ録画許可判定を行ってもよい）既存ファイルを削除して、新たなＣｏｄｅ領域（ＣｏｄｅＮ＋１）を追加していく。追加できなくなったら、ＣｏｄｅＴｏｐをＣｏｄｅ２に変更し、ＣｏｄｅＥｎｄをＣｏｄｅ１として録画を継続する。
【００３８】
上記のインデックスファイルを取り出す（別の機器への出力や別の記録媒体への書込等）ときには、インデックス形式ではなく、１本の連続した録画ファイルに変換して出力するようにすればよい。
【００３９】
なお、スロット２０１にＰＨＳデータカード４を装着することで、電子メールやインターネットを利用したページ閲覧等が行えるようになっている。従って、かかる携帯型視聴装置をテレビ視聴や映像再生機として使う他に、ネット端末として利用できる。また、据置型周辺装置１にも携帯型視聴装置２に設けてある通信ブロック２１６及びインターフェイス（例えば、Bluetooth （商標）など）２１７と同規格の通信ブロック及びインターフェイスを設け、据置型周辺装置１と携帯型視聴装置２との間で無線ネットワークが行えるようにしてもよい。これによれば、携帯型視聴装置２から選局情報を無線ネットワークで据置型周辺装置１に与えることもできる。また、このような無線ネットワークによって、据置型周辺装置１からＭＰＥＧ４によるビットストリームデータを携帯型視聴装置２に送信することができ、これによれば、携帯型視聴装置２を用いて現在放送中のアナログ放送の映像をリアルタイムで視ることができる。なお、据置型周辺装置１と携帯型視聴装置２とを有線ネットワークによって接続することとし、上記と同様に選局情報やビットストリームデータの送出を行うこととしてもよい。また、据置型周辺装置１からＭＰＥＧ４によるビットストリームデータを携帯型視聴装置２に送ることに代えて、据置型周辺装置１からコンポジット映像信号（コンポーネント映像信号でもよい）をＡＶ端子（或いは、Ｓ端子やＤ端子など）経由で携帯型視聴装置２に送出するようにしてもよい。
【００４０】
据置型周辺装置１の収容凹部１ｃに携帯型視聴装置２を装着した状態で放送をリアルタイムに視聴することとし、図１に示したごとく、携帯型視聴装置２の操作ボタンが据置型周辺装置１によって隠されるとする場合は、据置型周辺装置１には当該操作ボタンと同じように操作ボタンを配することとし、この据置型周辺装置１側で携帯型視聴装置２を操作することができるようにしてもよい。据置型周辺装置１の操作ボタンに対する操作情報は、無線ネットワークや有線又は有線ネットワークを用いて携帯型視聴装置２側へ送出することができる。また、据置型周辺装置１にスピーカを備えてもよく、受信放送の音声は据置型周辺装置１のスピーカから出力し、映像は携帯型視聴装置２の液晶表示パネル２０２で表示するといった形態を採ることができるようにしてもよい。
【００４１】
【発明の効果】
以上説明したように、この発明によれば、番組の録画中にメモリカードが残量不足になったことを報知によってユーザが知ることができ、メモリカードの交換を迅速に行うことができることになる。そして、報知後でメモリカードの交換前において、メモリカードの既存ファイルの中で優先度が低いファイルを削除する構成であれば、重要なファイルは保持しつつ受信番組の符号化映像・音声データの格納領域をしばらくは確保できることになる。そして、メモリカードが外されたとき受信番組の符号化映像・音声データを内蔵メモリに格納する構成であれば、交換中データの不記録といった事態は招来しないことになる。
【図面の簡単な説明】
【図１】この発明の実施形態の携帯型視聴装置と据置型周辺装置との装着状態を示した外観斜視図である。
【図２】この発明の実施形態の携帯型視聴装置の外観斜視図である。
【図３】この発明の実施形態の携帯型視聴装置及び据置型周辺装置の構成を示したブロック図である。
【図４】この発明の実施形態の携帯型視聴装置の番組録画中にメモリカードの残量が無くなったときの処理を示したフローチャートである。
【図５】インデックスファイル形式の内容を示した説明図である。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
２１９    ＳＤＲＡＭ
２３０    地上波ディジタルチューナ
２３１    携帯電話部
３        メモリカード
４        ＰＨＳデータカード
【図１】
0004121725.tif 000002
【図２】
0004121725.tif 000003
【図３】
0004121725.tif 000004
【図４】
0004121725.tif 000005
【図５】
0004121725.tif 000006